(57)【要約】【課題】主に自動車の音響や空調機器等の操作に用いられるスイッチ装置に関し、多様な照光が可能なものを提供することを目的とする。【解決手段】略箱状で暗色の透光部７Ａの上面または下面が、所定形状の切抜部７Ｃを有する同系色の不透光部７Ｂで覆われた操作体７を用いてスイッチ装置を構成することによって、透光部７Ａと不透光部７Ｂが暗色の同系色となっているため、周囲が明るい状態では表示が見えづらく、周囲が暗く発光素子５が発光している場合にのみ表示を明確に視認できる、多様な照光が可能なスイッチ装置を得ることができる。【選択図】図１
2005317236.tif 000002
【特許請求の範囲】
【請求項１】
略箱状で暗色の透光部の上面または下面が、所定形状の切抜部を有する同系色の不透光部で覆われた操作体と、この操作体の移動によって電気的接離を行うスイッチ接点と、上記操作体を下面から照光する発光素子からなるスイッチ装置。
【請求項２】
略箱状で暗色の透光部の上面または下面に、所定形状で同系色の不透光部が形成された操作体と、この操作体の移動によって電気的接離を行うスイッチ接点と、上記操作体を下面から照光する発光素子からなるスイッチ装置。
【請求項３】
操作体の内周に拡散部を設けた請求項１または２記載のスイッチ装置。
【発明の詳細な説明】
【技術分野】
【０００１】
本発明は、主に自動車の音響や空調機器等の操作に用いられるスイッチ装置に関するものである。
【背景技術】
【０００２】
近年、車室内のフロントパネル部に、様々な操作体を備えた照光式のスイッチ装置を配置し、これらによってオーディオやエアコン等の各種電子機器の操作を行うものが増えている。
【０００３】
このような従来のスイッチ装置について、図７を用いて説明する。
【０００４】
図７は従来のスイッチ装置の断面図であり、同図において、１は絶縁樹脂製のケース、２は同じく絶縁樹脂製の操作体で、ケース１には上方へ突出する中空筒部１Ａが設けられ、この中空筒部１Ａに操作体２が上下動可能に装着されている。
【０００５】
そして、操作体２は略箱状で濃茶色等の透光部２Ａと、この透光部２Ａの上面を覆う黒色等の不透光部２Ｂから形成されると共に、不透光部２Ｂの上面中央には文字や記号、絵柄等の形状の切抜部２Ｃが設けられている。
【０００６】
また、３は上下面に複数の導電パターン（図示せず）が形成された配線基板で、上面にはプッシュスイッチ４が実装され、このプッシュスイッチ４の操作部４Ａに、操作体２下面から下方へ突出した押圧部２Ｄが当接している。
【０００７】
さらに、このプッシュスイッチ４側方には、発光ダイオード等の発光素子５が設けられ、これらプッシュスイッチ４や発光素子５が実装された配線基板３上面を、ケース１が覆ってスイッチ装置が構成されている。
【０００８】
そして、このようなスイッチ装置は、車室内のフロントパネル部に装着され、プッシュスイッチ４や発光素子５等が配線基板３を介して、オーディオやエアコン等の各種電子機器や、自動車の電子回路（図示せず）に電気的に接続される。
【０００９】
以上の構成において、操作体２を下方へ押圧操作すると、押圧部２Ｄが操作部４Ａを押圧して、プッシュスイッチ４が電気的に動作し、例えば、オーディオの音量やエアコンの温度等の切換えが行われる。
【００１０】
また、夜間等の周囲が暗い場合には、発光素子５が発光し、この光が操作体２下面から透光部２Ａ全体を照光して、文字や記号、絵柄等の形状の切抜部２Ｃが照光されるため、周囲が暗い場合でも、切抜部２Ｃの表示や操作体２の位置確認が可能となり、操作体２の識別や操作を容易に行うことができる。
【００１１】
なお、発光素子５が消灯している場合には、黒色等の不透光部２Ｂの切抜部２Ｃから露出した、濃茶色等の透光部２Ａの文字や記号、絵柄等の表示は見えづらくなっている。
【００１２】
つまり、発光素子５が消灯している場合には、操作体２上面の表示は見えず、周囲が暗く発光素子５が発光している場合にのみ、操作体２の表示が照光され明確に視認できるように構成されているものであった。
【００１３】
なお、この出願の発明に関連する先行技術文献情報としては、例えば、特許文献１が知られている。
【特許文献１】特開２００１−２８３６７３号公報
【発明の開示】
【発明が解決しようとする課題】
【００１４】
しかしながら、上記従来のスイッチ装置においては、操作体２の透光部２Ａが濃茶色等の絶縁樹脂、この上面を覆う不透光部２Ｂが黒色等の絶縁樹脂と、異なる色で形成されているため、太陽光の下等、周囲が特に明るい場合には、切抜部２Ｃから露出した透光部２Ａの文字や記号、絵柄等の表示が、発光素子５が消灯した状態でも見え易くなってしまうという課題があった。
【００１５】
本発明は、このような従来の課題を解決するものであり、周囲が明るい状態では操作体２の表示が見えづらく、周囲が暗く発光素子５が発光している場合にのみ表示を明確に視認できる、多様な照光が可能なスイッチ装置を提供することを目的とする。
【課題を解決するための手段】
【００１６】
上記目的を達成するために本発明は、以下の構成を有するものである。
【００１７】
本発明の請求項１に記載の発明は、略箱状で暗色の透光部の上面または下面が、所定形状の切抜部を有する同系色の不透光部で覆われた操作体を用いてスイッチを構成したものであり、透光部と不透光部が暗色の同系色となっているため、周囲が明るい状態では表示が見えづらく、周囲が暗く発光素子が発光している場合にのみ表示を明確に視認できる、多様な照光が可能なスイッチ装置を得ることができるという作用を有する。
【００１８】
請求項２に記載の発明は、略箱状で暗色の透光部の上面または下面に、所定形状で同系色の不透光部が形成された操作体を用いてスイッチ装置を構成したものであり、周囲が明るい状態では表示が見えづらく、周囲が暗く発光素子が発光している場合にのみ表示を明確に視認できる、多様な照光が可能なスイッチ装置を得ることができるという作用を有する。
【００１９】
請求項３に記載の発明は、請求項１または２記載の発明において、操作体の内周に拡散部を設けたものであり、拡散部によって発光素子の下面からの光が拡散反射されるため、透光部全体が均一に照光され、周囲が暗い場合に操作体の表示の視認をより明確に行うことができるという作用を有する。
【発明の効果】
【００２０】
以上のように本発明によれば、周囲が明るい状態では表示が見えづらく、多様な照光が可能なスイッチ装置を実現することができるという有利な効果が得られる。
【発明を実施するための最良の形態】
【００２１】
以下、本発明の実施の形態について、図１〜図６を用いて説明する。
【００２２】
なお、背景技術の項で説明した構成と同一構成の部分には同一符号を付して、詳細な説明を簡略化する。
【００２３】
（実施の形態１）
実施の形態１を用いて、本発明の特に請求項１及び３記載の発明について説明する。
【００２４】
図１は本発明の第１の実施の形態によるスイッチ装置の断面図であり、同図において、１はＡＢＳやポリオキシメチレン等の絶縁樹脂製のケース、７は絶縁樹脂製の操作体で、ケース１には上方へ突出する中空筒部１Ａが設けられ、この中空筒部１Ａに操作体７が上下動可能に装着されている。
【００２５】
そして、７Ａはアクリルやポリカーボネート等の絶縁樹脂に染料を分散した黒色等の暗色で略箱状の透光部、７Ｂは黒色等の同系色でＡＢＳやポリブチレンテレフタレート等の絶縁樹脂に顔料を分散した不透光部で、透光部７Ａの上面を不透光部７Ｂが覆うと共に、不透光部７Ｂの上面中央には文字や記号、絵柄等の形状の切抜部７Ｃが設けられて、操作体７が形成されている。
【００２６】
そして、３は紙フェノールやガラス入りエポキシ等の配線基板で、この上下面には銅箔等によって複数の導電パターン（図示せず）が形成されると共に、上面にはプッシュスイッチ４が実装され、このプッシュスイッチ４の操作部４Ａに、操作体７下面から下方へ突出した押圧部７Ｄが当接している。
【００２７】
さらに、このプッシュスイッチ４側方には、発光ダイオード等の発光素子５が設けられ、これらプッシュスイッチ４や発光素子５が実装された配線基板３上面を、ケース１が覆ってスイッチ装置が構成されている。
【００２８】
そして、このようなスイッチ装置は、車室内のフロントパネル部に装着され、プッシュスイッチ４や発光素子５等が配線基板３を介して、オーディオやエアコン等の各種電子機器や、自動車の電子回路（図示せず）に電気的に接続される。
【００２９】
以上の構成において、操作体７を下方へ押圧操作すると、押圧部７Ｄが操作部４Ａを押圧して、プッシュスイッチ４が電気的に動作し、例えば、オーディオの音量やエアコンの温度等の切換えが行われる。
【００３０】
また、夜間等の周囲が暗い場合には、発光素子５が発光し、この光が操作体７下面から透光部７Ａ全体を照光して、文字や記号、絵柄等の形状の切抜部７Ｃが照光されるため、周囲が暗い場合でも、切抜部７Ｃの表示や操作体７の位置確認が可能となり、操作体７の識別や操作を容易に行うことができる。
【００３１】
なお、このスイッチ装置を、発光素子５が消灯した状態で太陽光の下等、周囲が特に明るい状態で使用した場合には、透光部７Ａと不透光部７Ｂが黒色等の暗色の同系色となっているため、不透光部７Ｂの切抜部７Ｃから露出した、同系色の透光部７Ａの文字や記号、絵柄等の表示は見えづらいようになっている。
【００３２】
つまり、周囲が明るく発光素子５が消灯している場合には、操作体７上面の表示は見えず、周囲が暗く発光素子５が発光している場合にのみ、操作体７の表示が照光され明確に視認できるように構成されている。
【００３３】
このように本実施の形態によれば、略箱状で暗色の透光部７Ａの上面が、所定形状の切抜部７Ｃを有する同系色の不透光部７Ｂで覆われた操作体７を用いてスイッチ装置を構成することによって、透光部７Ａと不透光部７Ｂが暗色の同系色となっているため、周囲が明るい状態では表示が見えづらく、周囲が暗く発光素子５が発光している場合にのみ表示を明確に視認できる、多様な照光が可能なスイッチ装置を得ることができるものである。
【００３４】
なお、以上の説明では、透光部７Ａの上面を、切抜部７Ｃを有する同系色の不透光部７Ｂで覆った操作体７を用いた構成について説明したが、図２の断面図に示すように、透光部７Ａの下面を、切抜部７Ｃを有する不透光部７Ｂで覆った構成としても、本発明の実施は可能である。
【００３５】
また、図３の断面図に示すように、操作体７の内周に、乳白色や白色で透光性の拡散部７Ｅを設けることによって、この拡散部７Ｅで発光素子５の下面からの光が拡散反射されるため、透光部７Ａ全体が均一に照光され、周囲が暗い場合に操作体７の表示の視認をより明確に行うことができる。
【００３６】
（実施の形態２）
実施の形態２を用いて、本発明の特に請求項２及び３記載の発明について説明する。
【００３７】
なお、実施の形態１の構成と同一構成の部分には同一符号を付して、詳細な説明を省略する。
【００３８】
図４は本発明の第２の実施の形態によるスイッチ装置の断面図であり、同図において、絶縁樹脂製のケース１に上方へ突出する中空筒部１Ａが設けられていることや、この中空筒部１Ａに操作体８が上下動可能に装着されていることは、実施の形態１の場合と同様である。
【００３９】
そして、８Ａがアクリルやポリカーボネート等の絶縁樹脂に染料を分散した黒色等の暗色で略箱状の透光部、８Ｂが黒色等の同系色でＡＢＳやポリブチレンテレフタレート等の絶縁樹脂に顔料を分散した不透光部であることも、実施の形態１の場合と同様であるが、不透光部８Ｂは文字や記号、絵柄等の形状に形成され、透光部８Ａの上面中央に設けられている。
【００４０】
なお、上下面に複数の導電パターン（図示せず）が形成された配線基板３の上面にプッシュスイッチ４が実装され、このプッシュスイッチ４の操作部４Ａに、操作体８下面から下方へ突出した押圧部８Ｄが当接していることは、実施の形態１の場合と同様である。
【００４１】
そして、このプッシュスイッチ４側方には、発光ダイオード等の発光素子５が設けられ、これらプッシュスイッチ４や発光素子５が実装された配線基板３上面を、ケース１が覆ってスイッチ装置が構成されている。
【００４２】
また、このようなスイッチ装置は、車室内のフロントパネル部に装着され、プッシュスイッチ４や発光素子５等が配線基板３を介して、オーディオやエアコン等の各種電子機器や、自動車の電子回路（図示せず）に電気的に接続される。
【００４３】
以上の構成において、操作体８を下方へ押圧操作すると、押圧部８Ｄが操作部４Ａを押圧して、プッシュスイッチ４が電気的に動作し、例えば、オーディオの音量やエアコンの温度等の切換えが行われる。
【００４４】
また、夜間等の周囲が暗い場合には、発光素子５が発光し、この光が操作体８下面から透光部８Ａ全体を照光して、文字や記号、絵柄等の形状の不透光部８Ｂの周囲が照光されるため、周囲が暗い場合でも、不透光部８Ｂの表示や操作体８の位置確認が可能となり、操作体８の識別や操作を容易に行うことができる。
【００４５】
なお、このスイッチ装置を、発光素子５が消灯した状態で太陽光の下等、周囲が特に明るい状態で使用した場合には、透光部８Ａと不透光部８Ｂが黒色等の暗色の同系色となっているため、不透光部８Ｂの文字や記号、絵柄等の表示は見えづらくなっている。
【００４６】
つまり、周囲が明るく発光素子５が消灯している場合には、操作体８上面の表示は見えず、周囲が暗く発光素子５が発光している場合にのみ、操作体８の表示が照光され明確に視認できるように構成されている。
【００４７】
このように本実施の形態によれば、略箱状で暗色の透光部８Ａの上面が、所定形状で同系色の不透光部８Ｂが形成された操作体８を用いてスイッチ装置を構成することによって、透光部８Ａと不透光部８Ｂが暗色の同系色となっているため、実施の形態１の場合と同様に、周囲が明るい状態では表示が見えづらく、周囲が暗く発光素子５が発光している場合にのみ表示を明確に視認できる、多様な照光が可能なスイッチ装置を得ることができるものである。
【００４８】
なお、以上の説明では、透光部８Ａの上面に不透光部８Ｂが形成された操作体８を用いた構成について説明したが、図５の断面図に示すように、透光部８Ａの下面に文字や記号、絵柄等の形状の不透光部８Ｂを形成した構成としても、本発明の実施は可能である。
【００４９】
また、図６の断面図に示すように、操作体８の内周に、乳白色や白色で透光性の拡散部８Ｅを設けることによって、この拡散部８Ｅで発光素子５の下面からの光が拡散反射されるため、透光部８Ａ全体が均一に照光され、周囲が暗い場合に操作体８の表示の視認をより明確に行うことができる。
【００５０】
さらに、操作体７や８の上下動によって電気的接離を行うスイッチ接点として、配線基板３上面に実装したプッシュスイッチ４を例として説明したが、可撓性シート下面の可動接点と配線基板上面の固定接点を対向させたものや、配線基板上面の固定接点上に略ドーム状で導電金属薄板製の可動接点を載置したもの等、様々なスイッチ接点においても本発明の実施は可能である。
【産業上の利用可能性】
【００５１】
本発明によるスイッチ装置は、多様な照光が可能なものを実現することができ、主に自動車の音響や空調機器等の操作用として有用である。
【図面の簡単な説明】
【００５２】
【図１】本発明の第１の実施の形態によるスイッチ装置の断面図
【図２】同他の実施の形態による断面図
【図３】同他の実施の形態による断面図
【図４】本発明の第２の実施の形態によるスイッチ装置の断面図
【図５】同他の実施の形態による断面図
【図６】同他の実施の形態による断面図
【図７】従来のスイッチ装置の断面図
【符号の説明】
【００５３】
１  ケース
１Ａ  中空筒部
３  配線基板
４  プッシュスイッチ
４Ａ  操作部
５  発光素子
７，８  操作体
７Ａ，８Ａ  透光部
７Ｂ，８Ｂ  不透光部
７Ｃ  切抜部
７Ｄ，８Ｄ  押圧部
７Ｅ，８Ｅ  拡散部
【図１】
2005317236.tif 000003
【図２】
2005317236.tif 000004
【図３】
2005317236.tif 000005
【図４】
2005317236.tif 000006
【図５】
2005317236.tif 000007
【図６】
2005317236.tif 000008
【図７】
2005317236.tif 000009